(57)【要約】  本発明に係るアンライセンスバンドを用いる無線通信方法は、第１の送受信機が、アンライセンスバンドにおいてリッスンビフォアトーク（ＬＢＴ）を実行する工程と、前記第１の送受信機がＬＢＴを実行した後、前記第１の送受信機から第２の送受信機へ第１の信号をアンライセンスバンドで送信する工程と、前記第１の送受信機が前記第１の信号を送信した後、前記第２の送受信機が、ＬＢＴを実行せずに、第１の送受信機へ第２の信号をアンライセンスバンドで送信する工程と、を具備する。
2019500769.tif 000002
【特許請求の範囲】
【請求項１】
アンライセンスバンドを用いる無線通信方法であって、
第１の送受信機が、アンライセンスバンドにおいてリッスンビフォアトーク（ＬＢＴ）を実行する工程と、
前記第１の送受信機がＬＢＴを実行した後、前記第１の送受信機から第２の送受信機へ第１の信号をアンライセンスバンドで送信する工程と、
前記第１の送受信機が前記第１の信号を送信した後、前記第２の送受信機が、ＬＢＴを実行せずに、第１の送受信機へ第２の信号をアンライセンスバンドで送信する工程と、
を具備する無線通信方法。
【請求項２】
前記第２の信号を送信する工程は、前記第２の送受信機が前記第１の信号を受信したときから所定のアイドル期間経過後に実行される請求項１記載の無線通信方法。
【請求項３】
前記所定のアイドル期間はＩＥＥＥ８０２．１１規格で定義されたＳＩＦＳである請求項２記載の無線通信方法。
【請求項４】
前記第２の送受信機が前記第１の信号を受信した後、前記第２の送受信機が前記第１の像受信機から少なくとも一つの下りリンク（ＤＬ）データ信号を受信する工程をさらに具備し、
前記第２の信号を送信する工程は、前記第２の送受信機が前記少なくとも一つのＤＬデータ信号の最後のＤＬデータ信号を受信したときから所定のアイドル期間経過後に実行される請求項１記載の無線通信方法。
【請求項５】
前記第２の信号を送信する工程は、ショートＴＴＩフォーマットで実行される請求項１記載の無線通信方法。
【請求項６】
前記第２の送受信機が複数存在する場合であって、前記複数の第２の送受信機のそれぞれが前記第１の信号を受信する場合、前記第２の信号を送信する工程は、前記複数の第２の送受信機のそれぞれが、ＬＢＴを実行せずに、実行する請求項１記載の無線通信方法。
【請求項７】
前記第１の信号は、チャネル状態情報参照信号（ＣＳＩ−ＲＳ）、物理下りリンク共有チャネル（ＰＤＳＣＨ）上の下りリンク（ＤＬ）データ信号、上りリンク（ＵＬ）グラント、又はスケジューリングリクエスト（ＳＲ）のいずれかであって、
前記第２の信号は、前記ＣＳＩ−ＲＳに応答するＣＳＩフィードバック、前記ＰＤＳＣＨ送信に対するＡＣＫ／ＮＡＣＫフィードバック、前記ＵＬグラントに応答する物理上りリンク共有チャネル（ＰＵＳＣＨ）上のＵＬデータ信号、又は前記ＳＲに応答するＵＬグラント、のいずれかである請求項１記載の無線通信方法。
【請求項８】
前記第１の送受信機から前記第２の送受信機へ送信される前記第２の信号に応答して第３の信号を前記第１の送受信機がＬＢＴを実行せずにアンライセンスバンドで送信する工程をさらに具備する請求項１記載の無線通信方法。
【請求項９】
前記第２の送受信機から前記第１の送受信機へ送信される前記第３の信号に応答して第４の信号を前記第２の送受信機がＬＢＴを実行せずにアンライセンスバンドで送信する工程をさらに具備する請求項８記載の無線通信方法。
【請求項１０】
前記第１の信号がＣＳＩ−ＲＳであり、
前記第２の信号がＣＳＩフィードバックであり、
前記第３の信号がＰＤＳＣＨ上のＤＬデータ信号であり、
前記第４の信号が前記ＰＤＳＣＨ送信に対するＡＣＫ／ＮＡＣＫフィードバックである請求項９記載の無線通信方法。
【請求項１１】
前記第１の信号がサウンディング参照信号（ＳＲＳ）であり、
前記第２の信号がＵＬグラントであり、
前記第３の信号がＰＵＳＣＨ上のＵＬデータ信号であり、
前記第４の信号が前記ＰＵＳＣＨ送信に対するＡＣＫ／ＮＡＣＫフィードバックである請求項９記載の無線通信方法。
【請求項１２】
前記第１の送受信機から前記第２の送受信機へＬＢＴ関連情報を送信する工程をさらに具備し、
前記ＬＢＴ関連情報が前記第２の送受信機でＬＢＴを実行しないこと指示している場合、前記第２の送受信機はＬＢＴを実行せずに第２の信号を送信する請求項１記載の無線通信方法。
【請求項１３】
基地局（ＢＳ）から第１の信号をアンライセンスバンドで受信する受信部と、
前記第１の信号に応答して、第２の信号を前記ＢＳへリッスンビフォアトーク（ＬＢＴ）を実行せずにアンライセンスバンドで送信する送信部と、
を具備するユーザ装置。
【請求項１４】
前記送信部は、前記受信部が第１の信号を受信するときから所定のアイドル期間経過後に前記第２の信号を送信する請求項１３記載のユーザ装置。
【請求項１５】
前記第１の信号がＣＳＩ−ＲＳであり、前記第２の信号がＣＳＩフィードバックである請求項１３記載のユーザ装置。
【請求項１６】
前記受信部が前記ＢＳからＬＢＴ関連情報を受信し、
前記ＬＢＴ関連情報が前記第２の送受信機でＬＢＴを実行しないことを指示している場合、前記送信部がＬＢＴを実行せずに前記第２の信号を送信する、
請求項１３記載のユーザ装置。
【請求項１７】
アンライセンスバンドを用いる無線通信方法であって、
基地局（ＢＳ）からユーザ装置（ＵＥ）へ、前記ＵＥがリッスンビフォアトーク（ＬＢＴ）を実行するか否かを示すＬＢＴ関連情報を送信する工程と、
前記ＬＢＴ関連情報に基づいて、前記ＵＥがアンライセンスバンドでＬＢＴを実行するか否かを決定する工程と、
前記ＵＥから前記ＢＳへ上りリンク（ＵＬ）データ信号を送信する工程と、
を具備する無線通信方法。
【請求項１８】
前記ＬＢＴ関連情報は、無線リソース制御（ＲＲＣ）シグナリング、媒体アクセス制御（ＭＡＣ）制御エレメント（ＣＥ）、及び／又は下りリンク制御情報（ＤＣＩ）の少なくとも１つを使用して送信される請求項１７記載の無線通信方法。
【請求項１９】
前記ＵＥから前記ＢＳへ前記ＬＢＴ関連情報を含む上りリンク（ＵＬ）グラントを送信する請求項１７記載の無線通信方法。
【請求項２０】
前記ＬＢＴ関連情報は、前記ＵＥがＬＢＴを実行するタイミング、ランダムバックオフ値又はＤＩＦＳ値のうちの少なくとも１つを示す請求項１７記載の無線通信方法。
【発明の詳細な説明】
【技術分野】
【０００１】
本発明は、一般的に無線通信に関し、より詳細には、ライセンスド−アシステッドアクセス（Ｌｉｃｅｎｓｅｄ−Ａｓｓｉｓｔｅｄ  Ａｃｃｅｓｓ：ＬＡＡ）システムにおけるアンライセンスバンドにおける下りリンク送信及び上りリンク送信の方法に関する。
【背景技術】
【０００２】
ロングタームエボリューション（ＬＴＥ）互換スペクトルをアンライセンスバンドに拡大するライセンスド−アシステッドアクセス（ＬＡＡ）が、第３世代パートナーシッププロジェクト（３ＧＰＰ）で研究されている。アンライセンスバンドは、Ｗｉ−Ｆｉ（ＩＥＥＥ
８０２．１１ファミリ）などの無線通信で使用されている。ＬＡＡシステムは、アンライセンスバンドにおいて、リッスンビフォアトーク（Ｌｉｓｔｅｎ−Ｂｅｆｏｒｅ−Ｔａｌｋ：ＬＢＴ）及び、送信バーストの最大継続時間（「最大バースト長」とも呼ばれる）が制限された送信を必要とする。
【０００３】
ＬＢＴは、アンライセンスバンド内のチャネルを使用する前に、機器がクリアチャネルアセスメント（Ｃｌｅａｒ  Ｃｈａｎｎｅｌ  Ａｓｓｅｓｓｍｅｎｔ：ＣＣＡ）を適用するメカニズムである。ＬＢＴを実行することによってチャネルが占有されていると判断された場合、装置はそのチャネルで信号を送信しない。
【０００４】
特定の機器によるアンライセンスバンド内のチャネルの占有を禁止するため、欧州や日本などの一部の地域では、アンライセンスバンドにおける送信バーストの最大継続時間を制限する規制が導入された。例えば、日本のＩＥＥＥ  ８０２．１１ａ／ｎ／ａｃの規制要件では、送信バーストの最大継続時間は４ｍｓｅｃ以下とする必要がある。
【０００５】
図１は、アンライセンスバンドで送信する前にＬＢＴを実行する従来のＬＡＡシステムを示す。ＬＢＴを実行することによって、他のシステム（例えば、Ｗｉ−Ｆｉ）が送信のためにアンライセンスバンドのチャネルを使用しているために、アンライセンスバンドのそのチャネルがビジー（ｂｕｓｙ）状態であると判定された場合、ＬＡＡシステムはいかなる信号も送信しない。ＬＢＴを実行することによって、アンライセンスバンドのチャネルがアイドル（ｉｄｌｅ）状態であると判定された場合、ＬＡＡシステムは、送信バーストの最大継続時間（例えば、４ｍｓｅｃ）の間に信号を送信することが許可される。
【０００６】
一方、アンライセンスバンドのキャリアにおける上りリンク送信及び下りリンク送信をサポートするＬＡＡのシナリオは、上りリンクと下りリンクとの間の切り替えが発生したときにＬＢＴを実行することが必要となり得る。例えば、前述のシナリオは、ライセンスキャリアのセルとアンライセンスキャリアのセルとの間のデュアルコネクティビティ、及びスタンドアローンであり得る。
【０００７】
しかし、上りリンクと下りリンクの切り替えが発生した場合、及び同じリンクの信号が連続的又は断続的に送信される場合にＬＢＴを実行することは、ＬＡＡシステムがアンライセンスバンドで占有チャネルを発見した場合に送信機会を減らすことにより、ＬＡＡシステムが非効率なものになり得る。図２は、ＬＡＡの現在のシナリオにおけるアンライセンスバンドでの上りリンク及び下りリンク送信を示す。例えば、図２に示すように、ＬＡＡシステムにおいて、基地局は下りリンクチャネルのＬＢＴ（ＤＢ  ＬＢＴ）を遂行した後、下りリンク（ＤＬ）信号（例えば、チャネル状態情報参照信号（ＣＳＩ−ＲＳ））をユーザ装置に送信する。次いで、ユーザ装置は、上りリンクチャネルのＬＢＴ（ＵＬ  ＬＢＴ）を実行した後、ＣＳＩ−ＲＳに応答してＣＳＩフィードバックなどの上りリンク（ＵＬ）信号を基地局に送信する。一方、ユーザ装置が基地局からＣＳＩ−ＲＳを受信したとしても、ＵＬ  ＬＢＴによってアンライセンスバンドのチャネルがビジー状態であると判定された場合、ユーザ装置は信号（ＣＳＩフィードバック）を送信しない。
【先行技術文献】
【非特許文献】
【０００８】
【非特許文献１】Ｒ１−１５４４０７  “Ｄｉｓｃｕｓｓｉｏｎ  ｏｎ  ＣＳＩ  ｍｅａｓｕｒｅｍｅｎｔ  ｄｅｓｉｇｎ  ｆｏｒ  ＬＡＡ  ＤＬ，”  Ａｕｇ．  ２０１５．
【発明の概要】
【課題を解決するための手段】
【０００９】
本発明の１つ以上の実施形態に係るアンライセンスバンドを用いる無線通信方法は、第１の送受信機が、アンライセンスバンドにおいてリッスンビフォアトーク（ＬＢＴ）を実行する工程と、前記第１の送受信機がＬＢＴを実行した後、前記第１の送受信機から第２の送受信機へ第１の信号をアンライセンスバンドで送信する工程と、前記第１の送受信機が前記第１の信号を送信した後、前記第２の送受信機が、ＬＢＴを実行せずに、第１の送受信機へ第２の信号をアンライセンスバンドで送信する工程と、を具備する。
【００１０】
本発明の１つ以上の実施形態に係るユーザ装置（ＵＥ）は、基地局（ＢＳ）から第１の信号をアンライセンスバンドで受信する受信部と、前記第１の信号に応答して、第２の信号を前記ＢＳへリッスンビフォアトーク（ＬＢＴ）を実行せずにアンライセンスバンドで送信する送信部と、を具備する。
【００１１】
本発明の１つ以上の実施形態に係るアンライセンスバンドを用いる無線通信方法は、基地局（ＢＳ）からユーザ装置（ＵＥ）へ、前記ＵＥがリッスンビフォアトーク（ＬＢＴ）を実行するか否かを示すＬＢＴ関連情報を送信する工程と、前記ＬＢＴ関連情報に基づいて、前記ＵＥがアンライセンスバンドでＬＢＴを実行するか否かを決定する工程と、前記ＵＥから前記ＢＳへ上りリンク（ＵＬ）データ信号を送信する工程と、を具備する。
【発明の効果】
【００１２】
本発明の１つ以上の実施形態に係るアンライセンスバンドを用いる無線通信方法は、ＬＡＡシステムにおけるアンライセンスバンドでの送信の効率を向上させることができる。
【図面の簡単な説明】
【００１３】
【図１】アンライセンスバンドでの送信前にＬＢＴを行う従来技術のＬＡＡシステムを示す図である。
【図２】ＬＡＡの現在のシナリオにおけるアンライセンスバンドでの下りリンク送信及び上りリンク送信を示す図である。
【図３】本発明の１つ以上の実施形態に係る無線通信システムの構成を示す図である。
【図４】本発明の第１の実施例の１つ以上の実施形態に係るアンライセンスバンドの下りリンク送信及び上りリンク送信を示すシーケンス図である。
【図５】本発明の第１の実施例の１つ以上の実施形態に係るアンライセンスバンドの下りリンク送信及び上りリンク送信を示す図である。
【図６】本発明の修正された第１の実施例の１つ以上の実施形態に係るアンライセンスバンドの下りリンク送信及び上りリンク送信を示す図である。
【図７】本発明の修正された第１の実施例の１つ以上の実施形態に係るアンライセンスバンドの下りリンク送信及び上りリンク送信を示す図である。
【図８】本発明の修正された第１の実施例の１つ以上の実施形態に係るアンライセンスバンドの下りリンク送信及び上りリンク送信を示す図である。
【図９】本発明の修正された第１の実施例の１つ以上の実施形態に係るアンライセンスバンドの下りリンク送信及び上りリンク送信を示す図である。
【図１０】本発明の修正された第１の実施例の１つ以上の実施形態に係るアンライセンスバンドの下りリンク送信及び上りリンク送信を示す図である。
【図１１】本発明の修正された第１の実施例の１つ以上の実施形態に係るアンライセンスバンドの下りリンク送信及び上りリンク送信を示す図である。
【図１２Ａ】本発明の修正された第１の実施例の１つ以上の実施形態に係るＬＢＴ関連情報に基づいてＬＢＴを行う動作を示すシーケンス図である。
【図１２Ｂ】本発明の修正された第１の実施例の１つ以上の実施形態に係るＬＢＴ関連情報に基づいてＬＢＴを行う動作を示すシーケンス図である。
【図１３】本発明の第２の実施例の１つ以上の実施形態に係るアンライセンスバンドの下りリンク送信及び上りリンク送信を示す図である。
【図１４】本発明の１つ以上の実施形態に係るノーマルサイクリックプレフィックスと拡張サイクリックプレフィックスのリソースブロックにＣＳＩ−ＲＳを多重化したＯＦＤＭシンボルを示す図である。
【図１５】本発明の修正された第２の実施例の１つ以上の実施形態に係るアンライセンスバンドの下りリンク送信及び上りリンク送信を示す図である。
【図１６】本発明の第３の実施例の１つ以上の実施形態に係るアンライセンスバンドの下りリンク送信及び上りリンク送信を示す図である。
【図１７】本発明の修正された第３の実施例の１つ以上の実施形態に係るアンライセンスバンドの下りリンク送信及び上りリンク送信を示す図である。
【図１８】本発明の修正された第３の実施例の１つ以上の実施形態に係るアンライセンスバンドの下りリンク送信及び上りリンク送信を示す図である。
【図１９】本発明の第４の実施例の１つ以上の実施形態に係るアンライセンスバンドの下りリンク送信及び上りリンク送信を示すシーケンス図である。
【図２０】本発明の第４の実施例の１つ以上の実施形態に係るアンライセンスバンドの下りリンク送信及び上りリンク送信を示す図である。
【図２１Ａ】本発明の第５の実施例の１つ以上の実施形態に係るアンライセンスバンドの下りリンク送信及び上りリンク送信を示す図である。
【図２１Ｂ】本発明の第５の実施例の１つ以上の実施形態に係るアンライセンスバンドの下りリンク送信及び上りリンク送信を示す図である。
【図２１Ｃ】本発明の第５の実施例の１つ以上の実施形態に係るアンライセンスバンドの下りリンク送信及び上りリンク送信を示す図である。
【図２２】本発明の１つ以上の実施形態に係る基地局の概略構成を示すブロック図である。
【図２３】本発明の１つ以上の実施形態に係る基地局の詳細な構成を示すブロック図である。
【図２４】本発明の１つ以上の実施形態に係るユーザ装置の概略構成を示すブロック図である。
【図２５】本発明の１つ以上の実施形態に係るユーザ装置の詳細な構成を示すブロック図である。
【発明を実施するための形態】
【００１４】
以下、本発明の実施の形態について、図面を参照して詳細に説明する。本発明の実施形態では、本発明のより完全な理解を提供するために、多くの具体的な詳細が記載されている。しかしながら、当業者には、これらの特定の詳細なしに本発明を実施することができることは明らかであろう。他の例では、本発明を不明瞭にすることを避けるために、周知の特徴を詳細には説明していない。
【００１５】
（システム構成）
図３は、本発明の１つ以上の実施形態による無線通信システム１を示す。無線通信システム１は、ユーザ装置（ＵＥ）１０（第１の／第２の送受信機）、基地局（ＢＳ）（又はセル）２０（第１の／第２の送受信機）、及びコアネットワーク３０を含む。無線通信システム１は、ライセンスされていない帯域（アンライセンスバンド）での送信をサポートするライセンスド−アシステッドアクセス（ＬＡＡ）技術を使用するＬＴＥ／ＬＴＥアドバンスト（ＬＴＥ−Ａ）システムであってもよい。無線通信システム1は、本明細書で説明する特定の構成に限定されず、送信のためにアンライセンスバンドを使用する任意のタイプの無線通信システムであってもよい。
【００１６】
無線通信システム１は、アンライセンスバンドのチャネルを使用して信号を送信する前に、リッスンビフォアトーク（ＬＢＴ）（クリアチャネルアセスメント（ＣＣＡ））を実行することを要求することができる。ＬＢＴを実行してアンライセンスバンドのチャネルが占有されている（ビジー状態）と判定された場合、アンライセンスバンドのチャネルを使用して信号は送信されない。ＬＢＴを実行してアンライセンスバンドのチャネルが占有されていない（アイドル状態）と判定された場合、アンライセンスバンドのチャネルを使用して信号が送信される。
【００１７】
１つ又は複数のアンテナを使用して、ＢＳ２０は、少なくともアンライセンスバンドを使用して、カバレージエリア２１内のＵＥ１０と上りリンク（ＵＬ）信号及び下りリンク（ＤＬ）信号を通信することができる。ＤＬ信号及びＵＬ信号は、制御情報及びユーザデータを含む。ＢＳ２０は、バックホールリンク３１を介してコアネットワーク３０とＤＬ信号及びＵＬ信号を通信することができる。ＢＳ２０は、Ｅｖｏｌｖｅｄ  ＮｏｄｅＢ（ｅＮＢ）であってもよい。ＢＳ２０は、マクロセル及び／又はピコセル及びフェムトセルなどのスモールセルに対してカバレッジエリア２１を提供することができる。
【００１８】
ＢＳ２０は、１つ以上のアンテナと、隣接するＢＳ２０と通信するための通信インターフェース（例えば、Ｘ２インターフェース）と、コアネットワーク３０と通信するための通信インターフェース（例えば、Ｓ１インターフェース）と、ＵＥ１０との送受信信号を処理するためのプロセッサ又は回路などのＣＰＵ（Ｃｅｎｔｒａｌ  Ｐｒｏｃｅｓｓｉｎｇ  Ｕｎｉｔ）を具備する。以下に説明するＢＳ２０の動作は、メモリに格納されたデータ及びプログラムを処理又は実行するプロセッサによって実施されてもよい。しかしながら、ＢＳ２０は、上述したハードウェア構成に限定されず、当業者に理解される他の適切なハードウェア構成によって実現されてもよい。一般に、無線通信システム１のより広いサービスエリアをカバーするように、複数のＢＳ２０が配置されている。
【００１９】
１つ又は複数のＵＥアンテナを使用して、ＵＥ１０は、少なくともアンライセンスバンドを使用して、制御情報及びユーザデータを含むＤＬ信号及びＵＬ信号を基地局２０と通信する。ＵＥ１０は、移動局、スマートフォン、携帯電話、タブレット、モバイルルータ、又はウェアラブル機器などの無線通信機能を有する情報処理装置であってもよい。
【００２０】
ＵＥ１０は、プロセッサ等のＣＰＵ、ＲＡＭ（Ｒａｎｄｏｍ  Ａｃｃｅｓｓ  Ｍｅｍｏｒｙ）、フラッシュメモリ及び、ＢＳ２０及びＵＥ１０との間で無線信号の送受信を行う無線通信装置を具備する。例えば、以下に説明するＵＥ１０の動作は、メモリに格納されたデータ及びプログラムを処理又は実行するＣＰＵによって実現することができる。ただし、ＵＥ１０は、上述したハードウェア構成に限定されるものではなく、例えば、以下の処理を実現する回路によって構成されてもよい。
【００２１】
無線リンク２２は、ＢＳ２０とＵＥ１０との間のＵＬ送信及びＤＬ送信を含み得る。ＤＬ送信及びＵＬ送信は、ライセンスバンドとアンライセンススペクトル（アンライセンスバンド）の両方を使用して行われてもよい。
【００２２】
（第１の実施例）
本発明の第１の実施例の１つ以上の実施形態による、アンライセンスバンドでのＢＳ２０とＵＥ１０との間のＤＬ送信及びＵＬ送信の方法を、図４及び図５を用いて以下に説明する。
【００２３】
図４は、本発明の第１の実施例の１つ以上の実施形態に係るアンライセンスバンドでのＤＬ送信及びＵＬ送信を示すシーケンス図である。図５は、本発明の第１の実施例の１つ以上の実施形態に係るアンライセンスバンドでのＢＳ２０とＵＥ１０との間におけるＤＬ／ＵＬ送信を示す図である。
【００２４】
図４に示すように、基地局２０は、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）やＤＲＳ（Ｄｉｓｃｏｖｅｒｙ  Ｒｅｆｅｒｅｎｃｅ  Ｓｉｇｎａｌ）などのＤＬ信号を送信する前に、アンライセンスバンドのＤＬチャネルでＬＢＴ（ＤＬ  ＬＢＴ）を実行する（ステップＳ１１）。ＢＳ２０は、ＢＳ２０がＬＢＴを行うことにより、アンライセンスバンドのＤＬチャネルがアイドル状態であることを検出し得る（ステップＳ１２）。ＬＢＴを実行してアンライセンスバンドのＤＬチャネルがビジー状態であると判定された場合、ＢＳ２０は次にＬＢＴを実行するまで待機することができる。ＤＬ  ＬＢＴを行ってＤＬチャネルをアイドル状態と判定した場合（ＢＳ２０がＬＢＴを行った後）、ＢＳ２０はアンライセンスバンドでＣＳＩ−ＲＳ又はＤＲＳをＵＥ１０に送信する（ステップＳ１３）。
【００２５】
ＵＥ１０がアンライセンスバンドでＢＳ２０からＣＳＩ−ＲＳを受信した後、ＵＥ１０は、アンラインセンスバンドでのＬＢＴを実行せずに、ＣＳＩフィードバックなどのＵＬ信号をＣＳＩ−ＲＳの応答としてＢＳ２０へアンライセンスバンドで送信する（ステップＳ１４）。つまり、第１の実施例の１つ以上の実施形態によれば、ＢＳ２０がＣＳＩ−ＲＳを送信した後、ＵＥ１０は、アンライセンスバンドのＵＬチャネルのＬＢＴ（ＵＬ  ＬＢＴ）を実行することなく、ＵＬ信号をアンライセンスバンドでＢＳ２０に送信する。第１の実施例の１つ以上の実施形態に係る無線通信システム１における方法では、アンライセンスバンドにおける送信のためのＬＢＴの数が増加するのを防ぐと共に、アンライセンスバンドにおける送信の機会を減少させることを防止することができる。その結果、ＬＡＡシステムにおけるアンライセンスバンドでのＤＬ送信及びＵＬ送信の有効性を改善することができる。
【００２６】
本発明の第１の実施例の１つ以上の実施形態によれば、ＢＳ２０（第１の送受信機）は、アンライセンスバンドでＬｉｓｔｅｎ−Ｂｅｆｏｒｅ−Ｔａｌｋ（ＬＢＴ）を実行することができる。ＢＳ２０がＬＢＴを実行した後、ＢＳ２０は、ＣＳＩ−ＲＳ（第１の信号）をアンライセンスバンドでＵＥ１０（第２の送受信機）に送信することができる。ＢＳ２０がＣＳＩ−ＲＳを送信した後、ＵＥ１０は、ＬＢＴを実行することなく、ＣＳＩフィードバック情報（第２の信号）をアンライセンスバンドでＢＳ２０に送信することができる。従って、第１の信号がＤＬ信号であり、第２の信号がＵＬ信号である場合、第１の送受信機はＢＳ２０であり、第２の送受信機はＵＥ１０であり得る。一方、第１の信号がＵＬ信号であり、第２の信号がＤＬ信号である場合、第１の送受信機はＵＥ１０であり、第２の送受信機はＢＳ２０であり得る。
【００２７】
図５に示すように、ＵＥ１０は、ＵＥ１０がＵＬ信号（ＣＳＩフィードバック）を送信する前に、所定のアイドル期間又はランダムなアイドル期間が経過するのを待機してもよい。すなわち、ＵＥ１０は、ＵＥ１０がＤＬ信号（ＣＳＩ−ＲＳ）を受信してから所定のアイドル期間又はランダムなアイドル期間の後にＵＬ信号（ＣＳＩフィードバック）を送信し得る。例えば、所定のアイドル期間は、Ｗｉ−Ｆｉとの友好な共存をサポートするために、ＩＥＥＥ８０２．１１標準に規定されたＳＩＦＳ（Ｓｈｏｒｔ  Ｉｎｔｅｒ  Ｆｒａｍｅ  Ｓｐａｃｅ）によって許可される時間量に等しくてもよい。例えば、ＩＥＥＥ  ８０２．１１ｂ／ｇ／ｎ（２．４ＧＨｚ）で定義されているＳＩＦＳは１０μ秒であり、ＩＥＥＥ  ８０２．１１ａ／ｎ（５ＧＨｚ）／ａｃで定義されているＳＩＦＳは１６μ秒です。所定のアイドル期間は、ゼロ秒であってもよい。例えば、所定のアイドル期間は、タイミングアドバンス情報に基づいて算出されてもよい。ＬＴＥ−Ａのような上りリンク送信タイミング制御を行い、追加の所定のアイドル期間を設定してもよい。所定のアイドル期間はランダムに決定されてもよい。所定のアイドル期間は、ＣＳＩフィードバックやＡＣＫ／ＮＡＣＫフィードバックなどのフィードバック信号の送信タイミングを柔軟に調整できるように、半静的又は動的に設定してもよい。上述したように、第１の実施例の１つ以上の実施形態において、ＣＳＩ−ＲＳは第１の信号の一例であり、ＣＳＩフィードバックは第１の信号に応答して送信される第２の信号の一例である。しかしながら、第１の実施形態の１つ以上の実施形態では、第１の信号に応答する第２の信号は他のケースであってもよく、例えば、ＵＬグラントに応答する物理上りリンク共有チャネル（ＰＵＳＣＨ）上のＵＬデータ信号、物理下りリンク共有チャネル（ＰＤＳＣＨ）上のＤＬ信号に応答するＵＬ  ＡＣＫ／ＮＡＣＫフィードバック、スケジューリングリクエストに応答するＵＬグラント、又はランダムアクセス手順の信号、であってもよい。
【００２８】
（修正された第１の実施例）
図６は修正された第１の実施例の１つ以上の実施形態による、アンライセンスバンドのＤＬ送信及びＵＬ送信を示す図である。ＵＥ１０におけるＣＳＩ−ＲＳ等の受信信号に基づいてＣＳＩフィードバック等のフィードバック信号を生成することは、ＵＥ１０における制御遅延を引き起こす可能性がある。修正された第１の実施例の１つ以上の実施形態において、ＢＳ２０は、ＣＳＩ−ＲＳに基づくＣＳＩフィードバックを生成するための制御遅延インターバルの間、リソースを保持するために使用されるＤＬデータ信号及びＵＬデータ信号の少なくとも１つを、ＬＢＴを実行せずに、送信する。図６に示すように、リソースを保持するために使用されるＤＬデータ信号は、例えばＰＤＳＣＨであってもよい。ＵＥ１０は、制御遅延区間の間に、受信したＣＳＩ−ＲＳに対するＣＳＩフィードバックを生成し、生成されたＣＳＩフィードバックをＬＢＴを実行せずに送信することができる。第１の実施例の実施形態では、ＣＳＩ−ＲＳは、図６に示すように、送信バーストの先頭付近に含まれてもよい。本発明の１つ以上の実施形態では、送信バーストは、連続して送信される信号を含む連続送信であってもよい。すなわち、ＵＥ１０がＢＳ２０からＣＳＩ−ＲＳを受信した後に、少なくとも１つのＤＬデータ信号を受信した場合、ＵＥ１０は、少なくとも１つのＤＬデータ信号のうちの最後のＤＬデータ信号を受信してから所定のアイドル時間後にＣＳＩフィードバック情報を送信できる。
【００２９】
修正された第１の実施例の１つ以上の実施形態によれば、図７に示すように、ＢＳ２０は、ＵＥ１０がＣＳＩフィードバックを送信する送信バースト内の制御チャネル（例えば、物理下りリンク制御チャネル（ＰＤＣＣＨ）／拡張ＰＤＣＣＨ（ＥＰＤＣＣＨ））上の下りリンク制御情報（ＤＣＩ）を用いてＣＳＩフィードバックのためのリソースを割り当てるためのＵＬグラントを送信することができる。図７に示すように、ＵＬグラントは、送信バーストの先頭付近に含まれてもよい。複数のＵＥ１０に対する複数のＣＳＩフィードバックは、同じＴＴＩで多重化されてもよい。また、ＢＳ２０は、送信バーストにおけるＣＳＩ測定の指示に関する情報を送信してもよい。ＣＳＩ測定の指示に関する情報は、送信バーストの先頭付近に含まれていてもよい。ＣＳＩ測定の指示に関する情報は、ＣＳＩ−ＲＳ及び／又はセル固有参照信号（ＣＲＳ）のサブフレーム位置を示す情報を含むことができる。この場合、周期及びサブフレームオフセットのようなＣＳＩ−ＲＳ構成の一部は、ＢＳ２０によってＵＥ１０に動的に通知されるため、省略することができる。また、図７に示すように、ＢＳ２０は、ＬＢＴを実行することなく、信号（ＣＳＩ−ＲＳ及びＰＤＳＣＨ上の複数のＤＬデータ信号）を送信することができる。
【００３０】
修正された第１の実施例の１つ以上の実施形態によれば、図８に示すようにＵＥ１０は、ＬＢＴなしで、ショート（Ｓｈｏｒｔ）ＴＴＩフォーマットでフィードバック信号（例えば、ＣＳＩフィードバック及びＡＣＫ／ＮＡＣＫフィードバック）を送信することができる。ショートＴＴＩとは１ＴＴＩ（１ｍｓ）未満である。修正された第１の実施例の１つ以上の実施形態では、ＵＬ送信のためのショートＴＴＩフォーマットは、新たに定義された物理上りリンク制御チャネル（ＰＵＣＣＨ）フォーマットであってもよい。ショートＴＴＩの全ての周波数リソースは、新たに定義されたＰＵＣＣＨフォーマットのようなＴＴＩフォーマットによるフィードバック送信として使用されてもよく、ＵＬデータ信号は多重化されなくてもよい。ショートＴＴＩフォーマットは、周波数ホッピングを伴わないＰＵＣＣＨフォーマットであってもよく、そのサイズは１スロット（０．５ミリ秒）である。ショートＴＴＩフォーマットは、上りリンクパイロットタイムスロット（ＵｐＰＴＳ）の番号に対応する新たに定義されたシンボルマッピングを使用することができる。新しく定義されたシンボルマッピングの構成は、復調用参照信号（ＤＭＲＳ）に対して「１シンボル及びフィードバックデータ」及び「１シンボル」であってもよい。ショートＴＴＩのメカニズムは、下りリンク信号にも適用することができる。例えば、１つの実装では、下りリンクパイロットタイムスロット（ＤｗＰＴＳ）を使用することができる。
【００３１】
修正された第１の実施例の１つ以上の実施形態によれば、図９に示すように、複数のＵＥ１０がＢＳ２０からアンライセンスバンドのＣＳＩ−ＲＳを受信すると、それら複数のＵＥ１０がＣＳＩフィードバックを送信してもよい。したがって、複数のＣＳＩフィードバックが時間多重され得る。図９に示すように、例えば、ＵＥ１０＃１〜３がアンライセンスバンドのＣＳＩ−ＲＳを受信した場合、ＵＥ１０＃１はＬＢＴを実行せずにＣＳＩフィードバック＃１をアンライセンスバンドで送信する。ＣＳＩフィードバック＃１が送信された後、ＵＥ１０＃２が、ＬＢＴを実行することなく、ＣＳＩフィードバック＃２をアンライセンスバンドで送信する。ＣＳＩフィードバック＃２が送信された後、ＵＥ１０＃３が、ＬＢＴを実行することなく、ＣＳＩフィードバック＃３をアンライセンスバンドで送信する。図９に示す修正された実施例１では、複数のＵＥ１０がそれぞれＣＳＩフィードバックを送信する場合に限らず、１つのＵＥ１０が複数のＣＳＩフィードバック（例えば、ＣＳＩフィードバック＃１〜３）を送信する場合にも適用できる。
【００３２】
一方、例えば、複数のＵＥ１０が、壁や建物などの障害物によって分離されているため、キャリアセンシングによって互いに検出できない場合、一方のＵＥ１０は、信号送信を開始すると、信号の干渉や衝突の原因となる（隠れ端末問題として知られている現象）。隠れ端末問題を回避するために、図１０に示すように、ＢＳ２０は、ＵＥ＃１〜３からのＣＳＩフィードバック送信の間の各間隔の間に、ＵＥ＃１〜３に加えて、その他のＵＥ１０に通知信号を送信してもよい。通知信号は、他のＵＥ１０が静かに保つように（信号を送信しないように）するために使用することができる。これにより隠れ端末問題を回避することができる。
【００３３】
一方、複数のＵＥ１０によって送信される複数のＣＳＩフィードバックを時分割多重することは、時間リソースを過度に使い果たしてしまうだけとなり得る。修正された第１の実施例の１つ以上の実施形態によれば、図１１に示すように、複数のＵＥ１０によって送信される複数のＣＳＩフィードバックは、単一のタイムスロット又は単一のサブフレームにおいて、周波数多重、符号多重又は時間多重してもよい。
【００３４】
第１の実施例の上記実施形態では、下りリンク信号（例えば、ＣＳＩ−ＲＳ）及び上りリンク信号（例えば、ＣＳＩフィードバック）の両方が一つの送信バーストで送信されるが、ＣＳＩ−ＲＳ及びＣＳＩフィードバックは、異なる送信バーストで送信されてもよい。例えば、ＣＳＩ−ＲＳ及びＣＳＩフィードバックは、それぞれ、第１の送信バースト及び第２の送信バーストで送信されてもよい。この場合、ＣＳＩフィードバックは、ＬＢＴを実行することなく、第２の送信バーストの端部に多重化することができる。
【００３５】
第１の実施例の上記実施形態のＣＳＩ−ＲＳは、ＵＥ１０自身に送信されるＣＳＩ−ＲＳであるが、第１の実施例は、サービングｅＮＢから他のＵＥに送信されるＣＳＩ−ＲＳにも適用可能である。すなわち、ＢＳ２０がＢＳ２０のセルにＣＳＩ−ＲＳを送信する場合、ＬＢＴが不要な所定の間隔を、セルに接続するＵＥ１０に提供することができる。例えば、ＵＥ１０は、ＣＳＩ−ＲＳに対応する位置情報（準コロケーション情報：ｑｕａｓｉ−ｃｏｌｏｃａｔｉｏｎ  ｉｎｆｏｒｍａｔｉｏｎ）に基づいてセル固有参照信号（ＣＲＳ）のセルＩＤを特定することができる。
【００３６】
さらに、第１の実施例は、ＣＳＩ−ＲＳの適用に限定されない。例えば、ＢＳ２０がＢＳ２０のセルにＤＬ信号を送信する場合、セルに接続する複数のＵＥ１０に、ＬＢＴが不要な所定の間隔を提供してもよい。
【００３７】
さらに、ＤＬ信号の一部（例えば、ＵＥ固有ＣＳＩ−ＲＳ）は、ＢＳ２０のセルへのリソースにＵＥ固有に割り当てられるので、ＵＥは、ＤＬ信号の一部（例えば、ＵＥ固有ＣＳＩ−ＲＳ）をどのセルが送信するか、つまり物理セル識別子（ＰＣＩＤ）、を特定できない。従って、例えば、ＢＳ２０は、ＣＳＩ−ＲＳが設定されている場合に、ＣＳＩ−ＲＳとＰＣＩＤとの関係をＵＥ１０に通知してもよい。また、ＵＥ１０は、ＢＳ２０から通知されたＰＣＩＤに対応するセルにＵＬ信号を送信する前にＬＢＴを行わないようにしてもよい。
【００３８】
修正された第１の実施例の１つ以上の実施形態によれば、図１２Ａに示すように、ＢＳ２０は、無線リソース制御（ＲＲＣ）シグナリング、媒体アクセス制御（ＭＡＣ）制御エレメント（ＣＥ）、及び／又はＤＣＩを使用して、ＬＢＴ関連情報をＵＥ１０にシグナリングしてもよい（ステップＳ１０１）。ＬＢＴ関連情報は、ＵＥ１０がＬＢＴを実行するか否かを示すものでもよい。ＵＥ１０は、ＬＢＴ関連情報に基づいてＬＢＴを実行することを決定し、必要に応じてＬＢＴを実行する（ステップＳ１０２）。ＵＥ１０は、ＢＳ２０に上りリンクデータを送信してもよい（ステップＳ１０３）。
【００３９】
例えば、ＬＢＴ関連情報は、ＬＢＴを実行するタイミングを示すＬＢＴパラメータ、ランダムバックオフ値及び／又はＤＩＦＳ（Ｄｉｓｔｒｉｂｕｔｅｄ  Ｉｎｔｅｒ−Ｆｒａｍｅ  Ｓｐａｃｅ）値を含むことができる。
【００４０】
他の実施例として、図１２Ｂに示すように、ＢＳ２０は、ＬＢＴ関連情報を含むＵＬグラントを送信してもよい（ステップＳ１０１ａ）。図１２Ａ及び図１２ＢのステップＳ１０２及びＳ１０３の動作は同様である。
【００４１】
（第２の実施例）
多入力−多出力（ＭＩＭＯ）システムにおけるＤＬプリコーディング送信では、ＣＳＩ−ＲＳ、ＣＳＩ−ＲＳに応じたＣＳＩフィードバック、ＣＳＩフィードバックに基づくＰＤＳＣＨ、及びＰＤＳＣＨに対するＡＣＫ／ＮＡＣＫフィードバックが、ＢＳ２０とＵＥ１０との間で送信される。本発明の第２の実施例の１つ以上の実施形態によれば、送信バースト前に一回のＬＢＴが、その送信バーストでの送信の全部又は一部（ＣＳＩ−ＲＳ、ＣＳＩフィードバック、ＰＤＳＣＨ、及びＰＤＳＣＨ送信に対するＡＣＫ／ＮＡＣＫフィードバック）に対して実行される。本発明の第２の実施例の実施形態について、図１３を参照して詳細に説明する。第２の実施例の１つ以上の実施形態では、ＢＳ２０及びＵＥ１０が、ＭＩＭＯ技術を使用して互いに信号を送受信する。
【００４２】
第２の実施例の１つ以上の実施形態において、ＢＳ２０は、ＣＳＩ−ＲＳを送信する前にＤＬ  ＬＢＴを実行する。ＤＬ  ＬＢＴを行ってＤＬチャネルがアイドル状態であると判断された場合、ＢＳ２０は、ＣＳＩ−ＲＳをＵＥ１０にアンライセンスバンドで送信する。
【００４３】
ＵＥ１０は、ＢＳ２０からＣＳＩ−ＲＳをアンライセンスバンドで受信する。そして、ＵＥ１０は、ＵＬ  ＬＢＴを実行することなく、ＣＳＩ−ＲＳに対するＣＳＩフィードバックをＢＳ２０にアンライセンスバンドで送信する。したがって、ＵＥ１０は、アンライセンスバンドでＣＳＩフィードバックを送信する前にＵＬ  ＬＢＴを実行しない。
【００４４】
ＢＳ２０は、ＵＥ１０からＣＳＩフィードバックをアンライセンスバンドで受信する。そして、ＢＳ２０は、ＤＬ  ＬＢＴを行うことなく、受信したＣＳＩフィードバックに基づいてＤＬデータ信号（ＰＤＳＣＨ）をＵＥ１０にアンライセンスバンドで送信する。従って、ＢＳ２０は、アンライセンスバンドでＰＤＳＣＨを送信する前に、ＤＬ  ＬＢＴを行わない。
【００４５】
ＵＥ１０は、ＢＳ２０からＰＤＳＣＨをアンライセンスバンドで受信する。そして、ＵＥ１０は、ＵＬ  ＬＢＴを行うことなく、ＰＤＳＣＨ送信に対するＡＣＫ／ＮＡＣＫフィードバックをＢＳ２０にアンライセンスバンドで送信する。したがって、ＵＥ１０は、ＰＤＳＣＨ送信に対するＡＣＫ／ＮＡＣＫフィードバックをアンライセンスバンドで送信する前に、ＵＬ  ＬＢＴを実行しない。
【００４６】
ＢＳ２０は、ＵＥ１０からＵＬ信号（例えば、ＣＳＩフィードバック）を受信すると、所定のアイドル期間（例えば、ＳＩＦＳ）後に、ＤＬ信号（例えば、ＰＤＳＣＨ）をアンライセンスバンドで送信することができる。ＵＥ１０は、ＤＬ信号（例えば、ＣＳＩ−ＲＳ及びＰＤＳＣＨ）を受信すると、所定のアイドル期間の後、ＵＬ信号（例えば、ＣＳＩフィードバック及びＰＤＳＣＨ送信に対するＡＣＫ／ＮＡＣＫフィードバック）をアンライセンスバンドで送信することができる。上述したように、所定のアイドル期間は、ゼロ秒であってもよいし、ランダムに決定されてもよい。
【００４７】
第２の実施例では、図１３に示すように、ＢＳ２０及びＵＥ１０は、全ての送信（ＣＳＩフィードバック、ＰＤＳＣＨ、及びＡＣＫ／ＮＡＣＫフィードバック送信の）前にＬＢＴを実行していないが、ＢＳ２０及びＵＥ１０は、一つ又はいくつかの送信の前だけでのみＬＢＴを実行しない場合もある。
【００４８】
したがって、本発明の第２の実施例の１つ以上の実施形態によるアンライセンスバンドでの送信方法は、送信バーストにおける送信の全部又は一部の送信（ＣＳＩ−ＲＳ、ＣＳＩフィードバック、ＰＤＳＣＨ、及びＰＤＳＣＨ送信に対するＡＣＫ／ＮＡＣＫフィードバック）に対して、その送信バーストの前に一回のＬＢＴが実行されるので、閉ループＤＬプリコーディング送信の効率を改善することができる。
【００４９】
（修正された第２の実施例）
ＬＴＥ規格で規定される従来のサブフレーム構成が適用される各信号のＴＴＩは、１ｍｓｅｃ（ＴＴＩ）である。従って、例えば、ＭＩＭＯシステムにおけるＤＬプリコーディング送信（ＣＳＩ−ＲＳ、ＣＳＩフィードバック、ＰＤＳＣＨ及びＰＤＳＣＨ送信に対するＡＣＫ／ＮＡＣＫフィードバック）における信号のＴＴＩは、４ｍｓｅｃ（ＴＴＩ）となり得る。その結果、信号（ＣＳＩ−ＲＳ、ＣＳＩフィードバック、ＰＤＳＣＨ及びＰＤＳＣＨ送信に対するＡＣＫ／ＮＡＣＫフィードバック）に、より多くの時間リソースを使用することになり得る。
【００５０】
一方、図１４は、本発明の１つ以上の実施形態による、ノーマルサイクリックプレフィックス及び拡張サイクリックプレフィックスのリソースブロック（ＲＢ）においてＣＳＩ−ＲＳを多重化するＯＦＤＭシンボルを示す。図１４に示すように、一方の軸はＯＦＤＭシンボルを示し、他方の軸はサブキャリアを示し、リソースエレメント（ＲＥ）がＣＳＩ−ＲＳアンテナポートに割り当てられている。各ブロックはＲＢのＲＥに対応し、アンテナポートの数を有するハッチングされたＲＥはＣＳＩ−ＲＳアンテナポートに割り当てられる。また、図１４に示すように、ＢＳ２０が２つのＣＳＩ−ＲＳアンテナポートを指定する場合、２つのＲＥがＣＳＩ−ＲＳアンテナポートに割り当てられる。また、ＢＳ２０が４つのＣＳＩ−ＲＳアンテナポートを指定する場合、ＣＳＩ−ＲＳアンテナポートには４つのＲＥが割り当てられ、８つのＣＳＩ−ＲＳアンテナポートが指定される場合には８つのＲＥがＣＳＩ−ＲＳアンテナポートに割り当てられる。
【００５１】
修正された第２の実施例の１つ以上の実施形態によれば、ＭＩＭＯシステムにおけるＤＬプリコーディング送信の信号のＴＴＩは、短縮され得る。図１５は、修正された第２の実施例の１つ以上の実施形態によるアンライセンスバンドのＤＬ送信及びＵＬ送信を示す図である。図１５に示すように、ＢＳ２０は、ＣＳＩ−ＲＳを多重化したＯＦＤＭシンボルのみをアンライセンスバンドで送信してもよい。すなわち、ＣＳＩ−ＲＳの送信は、ＣＳＩ−ＲＳを含むＯＦＤＭシンボルのみとして行われる。例えば、図１４を参照すると、ＢＳは、１４個のＯＦＤＭシンボルのうちのＣＳＩ−ＲＳを多重化するＯＦＤＭシンボルのみを送信することができる。従って、修正された第２の実施例の１つ以上の実施形態では、ＣＳＩ−ＲＳ送信に必要なＴＴＩを短くすることができる（１ｍｓｅｃ（ＴＴＩ）未満）。その結果、修正された第２の実施例の１つ以上の実施形態に係る方法は、アンライセンスバンドの送信における時間リソースを効率的に利用することができる。１つの可能な実装ではＤｗＰＴＳを使用することができる。別の実装形態として、ＢＳ２０又はＵＥ１０は、他のシステムによって使用されるチャネルを回避するために、いくつかの信号を送信してもよい。信号は、ＣＳＩ−ＲＳシンボルが開始するまで送信されてもよい。
【００５２】
修正された第２の実施例の１つ以上の実施形態においては、図１５に示すように、ＢＳ２０は、ＤＬ  ＬＢＴを行った後、ＣＳＩ−ＲＳを多重化したＯＦＤＭシンボルをアンライセンスバンドで送信する。そして、ＵＥ１０は、ＣＳＩ−ＲＳを多重化したＯＦＤＭシンボルを受信すると、所定期間（例えば、ＳＩＦＳ又は０秒）後に、ＣＳＩフィードバックをアンライセンスバンドで送信する。すなわち、ＵＥ１０がＣＳＩ−ＲＳを多重化するＯＦＤＭシンボルを受信すると、ＤＬとＵＬとの間の切り替えが起こる。別の例として、ＤＬとＵＬとの間の切り替え時にガード時間を設けることができる。別の例として、ＢＳ２０は、ＣＳＩ−ＲＳに基づいてＣＳＩフィードバックを生成するための制御遅延インターバルの間に、ＣＳＩ−ＲＳを多重化するＯＦＤＭシンボルの送信後にリソースを保持するために使用されるＤＬ信号を送信することができる。
【００５３】
修正された第２の実施例の１つ以上の実施形態においては、各ＣＳＩ−ＲＳリソースがＵＥ固有であるように構成されているが、ＢＳ２０は、ＢＳ２０のセル内の他のＵＥ１０のＣＳＩ−ＲＳを送信することができる。その結果、ＵＥ１０は、ＣＳＩフィードバックの送信タイミングを判定できない。従って、別の例として、ＢＳ２０は、ＯＦＤＭシンボルが各ＣＳＩ−ＲＳを多重化することを示す情報をＢＳ２０のセルに通知することができる。この情報は、ＣＳＩ−ＲＳ送信に適用可能であることに限定されない。例えば、この情報は、他の下りリンク信号にも適用可能である。
【００５４】
修正された第２の実施例の１つ以上の実施形態においては、ＢＳ２０がＣＳＩ−ＲＳを多重化するＯＦＤＭシンボルのみをアンライセンスバンドで送信する場合、ＣＳＩ−ＲＳの低密度により総ＤＬ送信電力が低下し得る。その結果、他のシステムは、減少した総ＤＬ送信電力を検出することができないので、総ＤＬ送信電力の減少は、他のシステムによって実行されるＬＢＴにおける誤検出を引き起こす可能性がある。従って、総ＤＬ送信電力が過度に減少しないように、ＣＳＩ−ＲＳを多重化するＯＦＤＭシンボルに含まれる未使用ＲＥに、所定の信号に対するリソースを割り当ててもよい。別の例として、ＣＳＩ−ＲＳは、より高い送信電力で送信されてもよい。このメカニズムは、ＣＳＩ−ＲＳ以外の他の参照信号又は物理チャネルにも適用できる。
【００５５】
（第３の実施例）
ＭＩＭＯシステムにおけるＵＬプリコーディング送信では、ＢＳ２０とＵＥ１０との間で、サウンディング参照信号（ＳＲＳ：Ｓｏｕｎｄｉｎｇ  Ｒｅｆｅｒｅｎｃｅ  Ｓｉｇｎａｌ）、ＵＬグラント、ＰＵＳＣＨ、ＰＵＳＣＨ送信に対するＡＣＫ／ＮＡＣＫフィードバックが送信される。本発明の第３の実施例の１つ以上の実施形態によれば、送信バースト前の１回のＬＢＴが、その送信バーストにおける送信（ＳＲＳ、ＵＬグラント、ＰＵＳＣＨ、及びＰＵＳＣＨ送信に対するＡＣＫ／ＮＡＣＫフィードバック）の全部又は一部に対して実行される。本発明の第３実施例の実施形態について、図１６を参照して詳細に説明する。第３の実施例の１つ以上の実施形態では、ＢＳ２０とＵＥ１０は、ＭＩＭＯ技術を用いて互いに信号を送受信する。
【００５６】
第３の実施例の１つ以上の実施形態では、ＵＥ１０は、ＳＲＳを送信する前にＵＬ  ＬＢＴを実行する。ＵＬ  ＬＢＴを行ってＵＬチャネルがアイドル状態であると判定された場合、ＵＥ１０は、アンライセンスバンドでＢＳ２０にＳＲＳを送信する。
【００５７】
ＢＳ２０は、アンライセンスバンドでＵＥ１０からＳＲＳを受信する。そして、ＢＳ２０は、ＳＲＳに応じたＵＬグラントを、ＤＬ  ＬＢＴを実行することなく、アンライセンスバンドでＵＥ１０に送信する。つまり、ＢＳ２０は、アンライセンスバンドでＵＬグラントを送信する前にＤＬ  ＬＢＴを実行しない。
【００５８】
ＵＥ１０は、アンライセンスバンドでＢＳ２０からＵＬグラントを受信する。そして、ＵＥ１０は、ＵＬグラントに応答して、ＰＵＳＣＨでＵＬデータ信号を、ＵＬ  ＬＢＴを実行することなく、アンライセンスバンドでＢＳ２０に送信する。つまり、ＵＥ１０は、アンライセンスバンドでＰＵＳＣＨを送信する前にＵＬ  ＬＢＴを実行しない。
【００５９】
ＢＳ２０は、アンライセンスバンドでＵＥ１０からＰＵＳＣＨを受信する。そして、ＢＳ２０は、ＰＵＳＣＨ送信に対するＡＣＫ／ＮＡＣＫフィードバックをアンライセンスバンドでＵＥ１０に送信する。ＢＳ２０は、ＰＵＳＣＨ送信に対するＡＣＫ／ＮＡＣＫフィードバックをアンライセンスバンドで送信する前に、ＵＬ  ＬＢＴを実行しない。
【００６０】
ＵＥ１０がＢＳ２０からＤＬ信号（例えば、ＵＬグラント）を受信すると、ＵＥ１０は、所定のアイドル期間（例えば、ＳＩＦＳ）後に、アンライセンスバンドでＵＬ信号（例えば、ＰＵＳＣＨ）を送信することができる。ＢＳ２０は、ＵＬ信号（例えば、ＳＲＳ及びＰＵＳＣＨ）を受信した後の所定のアイドル期間の後、アンライセンスバンドでＤＬ信号（例えば、ＵＬグラント及びＰＵＳＣＨ送信に対するＡＫＣ／ＮＡＣＫフィードバック）を送信することができる。上述のように、所定のアイドル期間はゼロ秒であってもよい。
【００６１】
図１６に示す第３の実施例では、ＢＳ２０及びＵＥ１０はアンライセンスバンドでのすべての送信（ＳＲＳ、ＵＬグラント、ＰＵＳＣＨ及びＰＵＳＣＨ送信に対するＡＫＣ／ＮＡＣＫフィードバック）の前にＬＢＴを実行していないが、ＢＳ２０及びＵＥ１０は、アンライセンスバンドでの一つ又は一部の送信の前でのみＬＢＴを実行しないこととしてもよい。
【００６２】
従って、本発明の第３の実施例の１つ以上の実施形態によるアンライセンスバンドでの送信方法は、送信バースト内の送信（ＳＲＳ、ＵＬグラント、ＰＵＳＣＨ、及びＰＵＳＣＨ送信に対するＡＣＫ／ＮＡＣＫフィードバック）の全部又は一部に対するＬＢＴが、その送信バーストの前に１回実行されるので、閉ループＵＬプリコーディング送信の効率を改善することができる。
【００６３】
（修正された第３の実施例）
上述したように、ＬＴＥ規格で定義された従来のサブフレーム構成が適用される各信号のＴＴＩは１ｍｓｅｃ（ＴＴＩ）である。従って、例えばＭＩＭＯシステムにおけるＵＬプリコーディング送信（ＳＲＳ、ＵＬグラント、ＰＵＳＣＨ、及びＰＵＳＣＨ送信に対するＡＣＫ／ＮＡＣＫフィードバック）における信号のＴＴＩは、４ｍｓｅｃ（ＴＴＩ）であり得る。その結果、信号（ＳＲＳ、ＵＬグラント、ＰＵＳＣＨ及びＰＵＳＣＨ送信に対するＡＣＫ／ＮＡＣＫフィードバック）にはより多くの時間リソースを使用し得る。
【００６４】
修正された第３の実施例の１つ以上の実施形態では、ＭＩＭＯシステムにおけるＵＬプリコーディング送信における信号のＴＴＩが短縮され得る。図１７に、修正された第３の実施例の１つ以上の実施形態による、アンライセンスバンドでのＤＬ及びＵＬ送信を示す。図１７に示すように、ＵＥ１０は、ＳＲＳを多重化するＯＦＤＭシンボルのみをアンライセンスバンドで送信することができる。すなわち、ＳＲＳの送信は、ＳＲＳを含むＯＦＤＭシンボルのみとして行われる。従って修正された第３の実施例の１つ以上の実施形態では、ＳＲＳ送信に必要なＴＴＩを短くすることができる（１ｍｓｅｃ（ＴＴＩ）未満）。その結果、修正された第３の実施例の１つ以上の実施形態に係る方法は、アンライセンスバンドでの送信における時間リソースを効率的に利用することができる。
【００６５】
ＬＴＥ規格は、ＳＲＳを多重化するＯＦＤＭシンボル＃１３を定義する。修正された第３の実施例の１つ以上の実施形態では、ＯＦＤＭシンボル＃１３以外のＯＦＤＭシンボルがＳＲＳを多重化してもよい。この場合、タイミングを検出するための初期信号が、ＯＦＤＭシンボル内のＳＲＳの前に設定されてもよい。
【００６６】
修正された第３の実施例の１つ以上の実施形態では、図１８に示すように、ＭＩＭＯシステムにおけるＵＬプリコーディング送信におけるＳＲＳ送信が、従来のＵＬグラントによってトリガされてもよい。ＳＲＳ送信をトリガする従来のＵＬグラントは、ＰＵＳＣＨ送信をトリガしてもよい。
【００６７】
修正された第３の実施例の１つ以上の実施形態では、ＢＳ２０は、ＭＩＭＯシステムのＵＬプリコーディング送信においてＵＬグラント及びＰＵＳＣＨ送信に対するＡＣＫ／ＮＡＣＫフィードバック（物理ＨＡＲＱインジケータチャネル（ＰＨＩＣＨ））を多重化するＯＦＤＭシンボルのみを送信してもよい。この場合、ＵＥ１０は、物理制御フォーマットインジケータチャネル（ＰＣＦＩＣＨ）に基づいてＰＤＣＣＨ内の最終ＯＦＤＭシンボルを特定し、連続するＵＬ信号を送信するタイミングを決定することができる。
【００６８】
修正された第３の実施例の１つ以上の実施形態では、図１８に示すように、ＵＥ１０は、ＵＬ  ＬＢＴを実行した後、ＳＲＳを多重化したＯＦＤＭシンボルをアンライセンスバンドで送信する。そして、ＢＳ２０は、ＳＲＳを多重するＯＦＤＭシンボルを受信すると、所定期間（例えば、ＳＩＦＳ又は０秒）後に、アンライセンスバンドでＵＬグラントを送信する。すなわち、ＢＳ２０がＳＲＳを多重化するＯＦＤＭシンボルを受信すると、ＤＬとＵＬとの間の切り替えが起こる。別の例として、ＵＬとＤＬとの間の切り替え時にガード時間を設けることができる。
【００６９】
（第４の実施例）
例えば、従来のＬＴＥシステムにおける４ｍｓｅｃ（ＴＴＩ）のＵＬ送信では、ＵＬグラント及びＰＵＳＣＨ送信の合計数は８回である。この場合、４ｍｓｅｃの間にアンライセンスバンドでのＵＬ送信のために８回のＬＢＴが必要とされ得る。従って、ＬＢＴを実行してアンライセンスバンドのチャネルがビジー状態であると判定された場合、送信の機会が失われ、ＬＢＴの実行回数が増加する可能性がある。次に、第４の実施例の実施の形態に係るアンライセンスバンドにおける送信方法について、図１８及び１９を参照して説明する。
【００７０】
図１９は、本発明の第４の実施例の１つ以上の実施形態によるアンライセンスバンドでのＤＬ送信及びＵＬ送信を示すシーケンス図である。
【００７１】
図１９に示すように、ＢＳ２０は、アンライセンスバンドでのＤＬ  ＬＢＴを実行する（ステップＳ２１）。ＢＳ２０は、ＬＢＴを実行することにより、アンライセンスバンドのＤＬチャネルがアイドル状態であることを検出する（ステップＳ２２）。もしＬＢＴを実行してアンライセンスバンドのＤＬチャネルがビジー状態であると判定された場合、ＢＳ２０は次にＬＢＴを実行するまで待機する。
【００７２】
ＢＳ２０は、アンライセンスバンドでＵＬグラント（ＵＬ  ｇｒａｎｔ＃１〜３）をＵＥ１０に送信する（ステップＳ２３）。図２０に示すように、ＵＬ  ｇｒａｎｔ＃１〜３は、単一のＵＬグラント送信の期間中に送信されてもよい。ＵＬグラント（ＵＬ  ｇｒａｎｔ＃１〜３）は、複数の連続するＴＴＩをスケジューリングするために使用されてもよい。つまり、ＢＳ２０は、単一のＵＬグラント送信の期間中に複数の連続したＴＴＩをスケジューリングするために使用されるＵＬグラントを送信することができるので、ＵＬグラントの数を減らすことが可能である。
【００７３】
図１９に示すように、ＵＥ１０は、アンライセンスバンドでＵＬグラント（ＵＬ  ｇｒａｎｔ＃１〜３）を受信すると、受信したＵＬグラント（ＵＬ  ｇｒａｎｔ＃１〜３）に基づいて複数の連続するＰＵＳＣＨ（ＰＵＳＣＨ＃１〜３）を送信する（ステップＳ２４〜２６）。図１８及び図１９に示すように、ＵＥ１０は、少なくとも連続ＰＵＳＣＨの間で（ＰＵＳＣＨ＃１と＃２との間、及びＰＵＳＣＨ＃２と＃３との間）、ＰＵＳＣＨ送信前にＬＢＴを実行しなくてもよい。図１８及び図１９では、ＵＥ１０がＰＵＳＣＨ＃１を送信する前にＬＢＴを実行しないが、他の実施形態ではＵＥ１０がＰＵＳＣＨ＃１を送信する前にＬＢＴを実行してもよい。
【００７４】
従って、第４の実施例の１つ以上の実施形態では、ＢＳ２０は複数のＵＬグラントを含む信号をＵＥ１０に送信し、その後ＵＥ１０は、その複数のＵＬグラントに応答して、ＵＬデータ信号をＰＵＳＣＨ上で送信する。さらに、各ＵＬデータ信号が送信されるＴＴＩは連続している。その結果、第４の実施例の１つ以上の実施形態では、複数の連続するＰＵＳＣＨを単一のＵＥ１０に割り当てることで、複数のＵＥ１０の間で切り替えないで連続して送信することができる。
【００７５】
別の実施例として、ＢＳ２０は、連続するＰＵＳＣＨの間の間隔において、ＵＬグラント送信の後のリソースを保持するために使用されるＤＬ信号を送信してもよい。
【００７６】
（第５の実施例）
本発明の第５の実施例の実施形態について、図２０Ａ〜図２０Ｃを参照して詳細に説明する。本発明の第５の実施例の実施形態による無線通信システム１は、送信バーストの最大継続時間（以下、「最大継続時間」と呼ぶ）を有するアンライセンスバンドでの送信を要する。送信バーストは、ＬＢＴが必要とされない連続送信である。最大継続時間は、「最大バースト長」とも呼ばれる。すなわち、アンライセンスバンドでの送信信号の継続時間は、最大継続時間の全部又は一部である。本発明の第５の実施例の実施形態において、最大継続時間が４ｍｓｅｃであってもよい。しかし、最大継続時間は４ｍｓｅｃに限定されず、別の所定の継続時間であってもよい。例えば、所定の継続時間は、各地域（地域又は国）で異なる場合がある。
【００７７】
図２０Ａに示すように、ＢＳ２０がＤＬ  ＬＢＴを行った後、ＢＳ２０は、最大継続時間の間にＣＳＩ−ＲＳをアンライセンスバンドでＵＥ１０に送信する。次いで、ＢＳ２０がＣＳＩ−ＲＳを送信した後、ＵＥ１０は、最大継続時間の間にＣＳＩフィードバックをアンライセンスバンドでＢＳ２０に送信する。
【００７８】
図２０Ｂに示すように、ＢＳ２０がＤＬ  ＬＢＴを行った後、ＢＳ２０は、最大継続時間の間にＣＳＩ−ＲＳをアンライセンスバンドでＵＥ１０に送信する。ＢＳ２０がＣＳＩ−ＲＳを送信した後、ＵＥ１０は最大継続時間の間に、ＬＢＴを実行することなく、アンライセンスバンドでＣＳＩフィードバックをＢＳ２０に送信する。ＵＥ１０がＣＳＩフィードバックを送信した後、ＢＳ２０は、ＵＥ１０へのＣＳＩフィードバックに応答して、ＬＢＴを実行することなく、ＰＤＳＣＨ上でＤＬデータ信号をアンライセンスバンドで送信する。ＢＳ２０がＰＤＳＣＨ上でＤＬデータ信号を送信した後、最大継続時間の間に、ＵＥ１０は、ＬＢＴを実行することなく、ＰＤＳＣＨ送信に対するＡＣＫ／ＮＡＣＫフィードバックをアンライセンスバンドでＢＳ２０に送信する。
【００７９】
図２０Ｃに示すように、ＵＥ１０がＵＬ  ＬＢＴを行った後、最大継続時間の間に、ＵＥ１０はＳＲＳをアンライセンスバンドでＢＳ２０に送信する。ＵＥ１０がＳＲＳを送信した後、ＢＳ２０は、最大継続時間の間に、ＬＢＴを実行することなく、ＵＬグラントをアンライセンスバンドでＵＥ１０に送信する。ＢＳ１０がＵＬグラントを送信した後、ＵＥ１０は、ＵＬグラントに応答して、ＬＢＴを実行することなく、ＰＵＳＣＨ上でＵＬデータ信号をアンライセンスバンドＢＳ２０に送信する。ＵＥ１０がＰＵＳＣＨ上でＵＬデータ信号を送信した後、最大継続時間の間に、ＢＳ２０は、ＬＢＴを実行することなく、ＰＵＳＣＨ送信に対するＡＣＫ／ＮＡＣＫフィードバックをアンライセンスバンドでＵＥ１０に送信する。
【００８０】
（基地局の構成）
以下、図２２を参照して、本発明の１つ以上の実施形態によるＢＳ２０について説明する。図２２は、本発明の１つ以上の実施形態に係るＢＳ２０の概略構成を示すブロック図である。ＢＳ２０は、複数のアンテナ２０１と、増幅器２０２と、送受信部２０３と、ベースバンド信号処理部２０４と、呼処理部２０５と、伝送路インターフェース２０６とを具備している。
【００８１】
ＢＳ２０からＵＥ２０にＤＬ上で送信されたユーザデータは、コアネットワーク３０から伝送路インターフェース２０６を介してベースバンド信号処理部２０４に入力される。
【００８２】
ベースバンド信号処理部２０４では、信号に対して、ＰＤＣＰ（Ｐａｃｋｅｔ  Ｄａｔａ  Ｃｏｎｖｅｒｇｅｎｃｅ  Ｐｒｏｔｏｃｏｌ）レイヤ処理、ユーザデータの分割・結合、ＲＬＣ再送制御送信処理などのＲＬＣ（Ｒａｄｉｏ  Ｌｉｎｋ  Ｃｏｎｔｒｏｌ）レイヤ送信処理、例えばＨＡＲＱ送信処理を含むＭＡＣ再送制御、スケジューリング、トランスポートフォーマット選択、チャネルコーディング、逆高速フーリエ変換（ＩＦＦＴ）処理、プリコーディング処理等の処理を行う。そして、得られた信号は各送受信部２０３に転送される。ＤＬ制御チャネルの信号は、チャネルコーディング及び逆高速フーリエ変換を含む送信処理が行われ、各送受信部２０３に送信される。
【００８３】
ベースバンド信号処理部２０４は、セル内の通信のための制御情報を報知チャネルにより各ＵＥ１０に通知する。セル内の通信のための情報には、例えば、ＵＬ又はＤＬシステム帯域幅が含まれる。
【００８４】
各送受信部２０３において、アンテナ毎にプリコードされ、ベースバンド信号処理部２０４から出力されるベースバンド信号は、周波数変換処理されて無線周波数帯域に変換される。増幅器２０２は、周波数変換された無線周波信号を増幅し、アンテナ２０１から送信される。
【００８５】
ＵＥ１０からＢＳ２０へＵＬ上で送信されるデータは、無線周波数信号が各アンテナ２０１で受信され、増幅器２０２で増幅され、送受信機２０３において周波数変換されてベースバンド信号に変換され、ベースバンド信号プロセッサ２０４に入力される。
【００８６】
ベースバンド信号処理部２０４は、受信したベースバンド信号に含まれるユーザデータに対して、ＦＦＴ処理、ＩＤＦＴ処理、誤り訂正復号、ＭＡＣ再送制御受信処理、並びにＲＬＣレイヤ及びＰＤＣＰレイヤ受信処理を行う。そして、得られた信号は伝送路インターフェース２０６を介してコアネットワーク３０に転送される。呼処理部２０５は、通信チャネルの設定や解除、ＢＳ２０の状態管理、無線リソースの管理などの呼処理を行う。
【００８７】
図２３は、本発明の１つ以上の実施形態によるＢＳ２０の詳細な構成を示すブロック図である。図２３に示すように、ＢＳ２０のベースバンド信号処理部２０４は、ＬＢＴ制御部２０４１と、ＤＬ信号生成部２０４２と、ＤＬ送信制御部２０４３と、ＵＬ受信制御部２０４４と、スケジューラ２０４５と、を備えていてもよい。
【００８８】
ＬＢＴコントローラ２０４１は、アンライセンスバンドのチャネルでＬＢＴを実行する。ＬＢＴ制御部２０４１は、検出された信号の電力レベルに基づいて、アンライセンスバンドのチャネルがビジー状態であるか否か（アイドル状態）を判断すると、実行されたＬＢＴの結果をスケジューラ２０４５に出力する。スケジューラ２０４５は、ＤＬデータ信号（ＰＤＳＣＨ）、制御情報（ＰＤＣＣＨ／ＥＰＤＣＣ）、並びにＣＳＩ−ＲＳ及びＣＲＳなどのＤＬ参照信号のスケジューリングを制御する。ＤＬ信号生成部２０４２は、ＤＬデータ信号、ＤＬ制御情報、並びにＣＳＩ−ＲＳ及びＣＲＳなどのＤＬ参照信号などのＤＬ信号を生成する。ＤＬ送信制御部２０４３は、ＤＬ信号を送信する。ＵＬ受信制御部２０４４は、ＵＥ１０が送信したＵＬ信号の受信処理を行う。
【００８９】
（ユーザ装置の構成）
以下、図２４を参照して、本発明の１つ以上の実施形態によるＵＥ１０について説明する。図２４は、ＵＥ１０の全体構成を示す図である。ＵＥ１０は、複数のＵＥアンテナ１０１、増幅器１０２、送受信部１０３、ベースバンド信号処理部１０４、及びアプリケーション部１０５を具備する。
【００９０】
ＤＬについては、ＵＥアンテナ１０１で受信された無線周波数信号は、各増幅器１０２で増幅され、送受信部１０３においてベースバンド信号に周波数変換される。これらのベースバンド信号には、ベースバンド信号処理部１０４において、ＦＦＴ処理、誤り訂正復号、及び再送制御等の受信処理がなされる。ＤＬユーザデータは、アプリケーション部１０５に転送される。アプリケーション部１０５は、物理レイヤ及びＭＡＣレイヤより上の上位レイヤに関連する処理を行う。下りデータでは、報知情報もアプリケーション１０５に転送される。
【００９１】
一方、ＵＬユーザデータは、アプリケーション部１０５からベースバンド信号処理部１０４に入力される。ベースバンド信号処理部１０４では、再送制御（Ｈｙｂｒｉｄ  ＡＲＱ）送信処理、チャネル符号化、プリコーディング、ＤＦＴ処理、ＩＦＦＴ処理等が行われ、得られた信号は各送受信部１０３に転送される。送受信部１０３では、ベースバンド信号処理部１０４から出力されたベースバンド信号が無線周波数帯に変換される。その後、周波数変換された無線周波信号は、増幅器１０２で増幅された後、送受信アンテナ１０１から送信される。
【００９２】
図２５は、本発明の１つ以上の実施形態によるＵＥ１０の詳細な構成を示すブロック図である。図２５に示すように、ＵＥ１０のベースバンド信号処理部１０４は、ＬＢＴ制御部１０４１と、ＵＬ信号生成部１０４２と、ＵＬ送信制御部１０４３と、ＤＬ受信制御部１０４４と、を備える。
【００９３】
ＬＢＴ制御部１０４１は、アンライセンスバンドのチャネルにおいてＬＢＴを実行する。ＬＢＴ制御部１０４１は、検出された信号の電力レベルに基づいて、アンライセンスバンドのチャネルがビジー状態であるか否か（アイドル状態）を判断すると、ＬＢＴの結果をＵＬ送信制御部１０４３に出力する。ＵＬ信号生成部１０４２は、ＣＳＩ−ＲＳに基づくＣＳＩフィードバック、ＵＬグラントに基づくＰＵＳＣＨ、及びＰＤＳＣＨ送信に対するＡＣＫ／ＮＡＣＫフィードバックを生成する。ＵＬ送信制御部１０４３は、ＬＢＴの結果に基づいてＵＬ信号を送信する。ＤＬ受信制御部２０４４は、ＢＳ２０が送信したＤＬ信号の受信処理を行う。
【００９４】
以上の実施例及び修正された実施例は、互いに組み合わせることが可能であり、これらの実施例の各種特徴を様々な組み合わせで組み合わせることが可能である。本発明は、本明細書に開示される特定の組み合わせに限定されない。
【００９５】
本開示は限定された数の実施形態に関してのみ記載されたが、本開示の利益を有する当業者は、本発明の範囲から逸脱することなく様々な他の実施形態が考案され得ることを理解するであろう。従って、本発明の範囲は、添付の特許請求の範囲によってのみ限定されるべきである。
【符号の説明】
【００９６】
１  無線通信システム
１０  ユーザ装置（ＵＥ）
１０１  ＵＥアンテナ
１０２  増幅器
１０３  送受信部
１０４  ベースバンド信号処理部
１０５  アプリケーション部
１０４１  ＬＢＴ制御部
１０４２  ＵＬ信号生成部
１０４３  ＵＬ送信制御部
１０４４  ＤＬ受信制御部
２０  基地局（ＢＳ）
２１  カバレージエリア
２０１  アンテナ
２０２  増幅器
２０３  送受信部
２０４  ベースバンド信号処理部
２０４１  ＬＢＴ制御部
２０４２  ＤＬ信号生成部
２０４３  ＤＬ送信制御部
２０４４  ＵＬ受信制御部
２０４５  スケジューラ
２０５  呼処理部
２０６  伝送路インターフェース
【図１】
2019500769.tif 000003
【図２】
2019500769.tif 000004
【図３】
2019500769.tif 000005
【図４】
2019500769.tif 000006
【図５】
2019500769.tif 000007
【図６】
2019500769.tif 000008
【図７】
2019500769.tif 000009
【図８】
2019500769.tif 000010
【図９】
2019500769.tif 000011
【図１０】
2019500769.tif 000012
【図１１】
2019500769.tif 000013
【図１２Ａ】
2019500769.tif 000014
【図１２Ｂ】
2019500769.tif 000015
【図１３】
2019500769.tif 000016
【図１４】
2019500769.tif 000017
【図１５】
2019500769.tif 000018
【図１６】
2019500769.tif 000019
【図１７】
2019500769.tif 000020
【図１８】
2019500769.tif 000021
【図１９】
2019500769.tif 000022
【図２０】
2019500769.tif 000023
【図２１Ａ】
2019500769.tif 000024
【図２１Ｂ】
2019500769.tif 000025
【図２１Ｃ】
2019500769.tif 000026
【図２２】
2019500769.tif 000027
【図２３】
2019500769.tif 000028
【図２４】
2019500769.tif 000029
【図２５】
2019500769.tif 000030
【国際調査報告】
2019500769.tif 000031
2019500769.tif 000032